(57)【要約】【課題】配管の途中に設置された状態でダイアフラムなどの部品の交換が容易な減圧弁を提供すること。【解決手段】減圧弁２は、流入管１１と、流出管１２と、流入管１１と流出管１２とを接続する内部流路５４と、内部流路５４に配置された第１弁座５９と、第１弁座５９よりも下流に位置する第１弁体８１と、内部流路５４の壁面の一部を構成するダイアフラム７３と、ダイアフラム７３の変位に応じて第１弁体８１を第１弁座５９に接近する方向および離間する方向に移動させる弁体移動機構８３と、を有する。流出管１２は、流通方向の途中に弁室９１を備える。弁室９１には、第２弁座１１５と、第２弁座１１５の下流に位置する第２弁体１１６と、第２弁体１１６を第２弁座１１５に付勢する付勢部材１１８と、を備える逆止弁ユニット９２が収容されている。【選択図】図２
2020184139.tif 000002
【特許請求の範囲】
【請求項１】
流入管と、
流出管と、
前記流入管と前記流出管とを接続する内部流路と、
前記内部流路に配置された第１弁座と、
前記内部流路の前記第１弁座よりも下流に位置する第１弁体と、
前記内部流路において前記第１弁座より下流に位置する下流側流路部分の壁面の一部を構成するダイアフラムと、
前記ダイアフラムの変位に応じて前記第１弁体を前記第１弁座に接近する方向および離間する方向に移動させる弁体移動機構と、を有し、
前記流出管は、管軸方向の途中に弁室を備え、
前記弁室には、第２弁座と、前記第２弁座の下流に位置する第２弁体と、前記第２弁体を前記第２弁座に付勢する付勢部材と、が収容され、
前記第２弁体は、前記第２弁座に接触して前記流出管を封鎖する止水位置と、前記付勢部材の付勢力に抗して前記第２弁座から下流に離間して前記流出管を解放する通水位置との間を移動することを特徴とする減圧弁。
【請求項２】
前記流入管に連通する流入路、前記流出管に連通する流出路、前記流入路および流出路に連通する空洞部、並びに、前記空洞部に連通する開口部を有するハウジング本体を備えるハウジング部材と、
前記第１弁座、前記第１弁体、前記ダイアフラム、および前記弁体移動機構を備える減圧弁本体と、を有し、
前記減圧弁本体は、開口部を封鎖した状態で前記ハウジング本体に着脱可能に装着されて当該ハウジング部材とともに前記内部流路を区画することを特徴とする請求項１に記載の減圧弁。
【請求項３】
前記流出管は、前記ハウジング部材と一体の上流側流出管と、前記上流側流出管の下流に配置された下流側流出管と、前記上流側流出管と前記下流側流出管とを連通させた状態で接続する接続部材と、を備え、
前記下流側流出管と、前記下流側流出管とによって、前記弁室が区画されていることを特徴とする請求項２に記載の減圧弁。
【請求項４】
前記ハウジング本体は、前記空洞部を間に挟んで前記開口部とは反対側の部位に当該ハウジング部材を固定するための固定部を備えることを特徴とする請求項２または３に記載の減圧弁。
【請求項５】
請求項４に記載の減圧弁と、
前記減圧弁を設置するための減圧弁設置部材と、を有し、
前記減圧弁設置部材は、設置面を備える設置部と、前記設置部の前記設置面とは反対側から当該設置面と垂直な方向に延びる減圧弁取付部と、を備え、
前記流入管と前記流出管とは、同軸であり、
前記固定部を前記減圧弁取付部に固定したときに、前記流入管および前記流出管は、前記減圧弁取付部に沿って延び、前記流出管は、前記流入管よりも前記設置部の側に位置し、前記開口部は、前記流入管および前記流出管の管軸と直交する方向で、前記減圧弁取付部とは反対側を向くことを特徴とする減圧弁。
【発明の詳細な説明】
【技術分野】
【０００１】
本発明は、配管の途中に設置する減圧弁に関する。また、かかる減圧弁を備える減圧弁ユニットに関する。
【背景技術】
【０００２】
高層ホテルにおいて、各客室の水道に水を供給する給水系は、各階に水を配送する本管と、各階において本管から分岐して各客室に向かって延びる複数の分岐配管と、を備える。このような給水系では、最上階の各客室の水道で水圧を確保しようとすると、低い階の各客室の水道において水圧が高くなりすぎる。従って、各階の各分岐配管の途中に必要に応じて減圧弁を設置して、各客室の水道の水圧を所定の圧力に調節する。特許文献１には、このような場合に用いられる減圧弁が記載されている。
【０００３】
特許文献１の減圧弁は、流入管、流入管と同軸の流出管、および、流入管と流出管とを接続する内部流路を備えるハウジングを有する。内部流路の途中には、弁座が設けられている。また、減圧弁は、内部流路における弁座よりも下流側の圧力に応じて変位するダイアフラムと、出力軸を介してダイアフラムに固定された弁体と、を備える。弁体は、ダイアフラムの変位に伴って弁座に接近する方向および離間する方向に移動して、弁座との間の距離を変化させる。これにより、減圧弁は、減圧弁を通過する流体の圧力を所定の圧力に調節する。
【先行技術文献】
【特許文献】
【０００４】
【特許文献１】特開２００５−３１４９８２号公報
【発明の概要】
【発明が解決しようとする課題】
【０００５】
減圧弁のダイアフラムは、客室の水道が使用される毎に変位する。従って、ダイアフラムには頻繁に負荷がかかる。よって、減圧弁は、ダイアフラムの損傷により、故障する場合がある。
【０００６】
ここで、給水系において減圧弁よりも上流に配置された止水栓を操作して分岐配管を止水すれば、減圧弁を分岐配管から取り外さずに分解してダイアフラムなどの部品を交換できる。しかし、この場合には、分岐配管における減圧弁よりも下流の水が逆流して、分解状態の減圧弁から漏れ出す。従って、ダイアフラムなどの部品の交換作業が容易ではないという問題がある。
【０００７】
本発明の課題は、このような点に鑑みて、配管の途中に設置された状態でダイアフラムなどの部品の交換が容易な減圧弁を提供することにある。また、かかる減圧弁を備える減圧弁ユニットを提供することにある。
【課題を解決するための手段】
【０００８】
上記課題を解決するために、本発明の減圧弁は、流入管と、流出管と、前記流入管と前記流出管とを接続する内部流路と、前記内部流路に配置された第１弁座と、前記内部流路の前記第１弁座よりも下流に位置する第１弁体と、前記内部流路において前記第１弁座より下流に位置する下流側流路部分の壁面の一部を構成するダイアフラムと、前記ダイアフラムの変位に応じて前記第１弁体を前記第１弁座に接近する方向および離間する方向に移動させる弁体移動機構と、を有し、前記流出管は、管軸方向の途中に弁室を備え、前記弁
室には、第２弁座と、前記第２弁座の下流に位置する第２弁体と、前記第２弁体を前記第２弁座に付勢する付勢部材と、が収容され、前記第２弁体は、前記第２弁座に接触して前記流出管を封鎖する止水位置と、前記付勢部材の付勢力に抗して前記第２弁座から下流に離間して前記流出管を解放する通水位置との間を移動することを特徴とする。
【０００９】
本発明によれば、減圧弁の流出管に弁室が設けられている。また、弁室内には、第２弁座と、第２弁座の下流に位置する第２弁体と、第２弁体を第２弁座に付勢する付勢部材と、が収容されており、第２弁体は、第２弁座に接触して流出管を封鎖する止水位置と、付勢部材の付勢力に抗して第２弁座から下流に離間して流出管を解放する通水位置との間を移動する。すなわち、減圧弁は、流出管の途中に流体の逆流を阻止する逆止弁機構を備える。従って、減圧弁よりも上流側で配管を止水して、減圧弁を配管から取り外さずに分解したときに、配管内において減圧弁よりも下流の流体が内部流路の側に逆流することを防止或いは抑制できる。これにより、逆流した流体が分解状態の減圧弁から漏れ出すことを防止或いは抑制できるので、ダイアフラムなどの部品の交換が容易となる。
【００１０】
本発明において、前記流入管に連通する流入路、前記流出管に連通する流出路、前記流入路および流出路に連通する空洞部、並びに、前記空洞部に連通する開口部を有するハウジング本体を備えるハウジング部材と、前記第１弁座、前記第１弁体、前記ダイアフラム、および前記弁体移動機構を備える減圧弁本体と、を有し、前記減圧弁本体は、開口部を封鎖した状態で前記ハウジング本体に着脱可能に装着されて当該ハウジング部材とともに前記内部流路を区画するものとすることができる。このようにすれば、ダイアフラム、第１弁座、または第１弁体が損傷した場合に、ハウジング部材から減圧弁本体を取り外して新たな減圧弁本体をハウジング本体に装着することにより、ダイアフラム、第１弁座、および第１弁体を破損してないものに交換できる。従って、減圧弁は、ハウジング部材を配管から取り外すことなく、ダイアフラム、第１弁座、および第１弁体を交換できる。ここで、減圧弁は、ハウジング部材の流出路よりも下流に逆止弁機構を備える。従って、ハウジング部材から減圧弁本体を取り外したときに、逆流した流体がハウジング部材の開口部から溢れ出すことを防止或いは抑制できる。よって、ダイアフラムなどの部品の交換が、より、容易となる。
【００１１】
本発明において、前記流出管は、前記ハウジング部材と一体の上流側流出管と、前記上流側流出管の下流に配置された下流側流出管と、前記上流側流出管と前記下流側流出管とを連通させた状態で接続する接続部材と、を備え、前記下流側流出管と、前記下流側流出管とによって、前記弁室が区画されていることが望ましい。このようにすれば、接続部材の操作により下流側流出管と上流側流出管との接続を解除して、弁室を解放状態とすることができる。従って、流出管の途中に設けた弁室に、第２弁座、第２弁体、および付勢部材を収容して、逆止弁機構を構成することが容易である。
【００１２】
本発明において、前記ハウジング本体は、前記空洞部を間に挟んで前記開口部とは反対側の部位に当該ハウジング部材を固定するための固定部を備えるものとすることができる。このようにすれば、固定部を利用して減圧弁を建物の壁面等に固定した状態で、減圧弁に配管を接続できる。ここで、ハウジング部材が固定部によって建物の壁面等に固定されていれば、ハウジング部材から減圧弁本体を取り外す際、および、ハウジング部材に減圧弁本体を取り付ける際に、減圧弁に接続された配管に負荷がかかることを防止あるいは抑制できる。これにより、ハウジング部材から減圧弁本体を取り外す作業が容易となるので、ダイアフラムなどの部品の交換が、更に、容易となる。
【００１３】
次に、本発明の減圧弁ユニットは、上記の減圧弁と、前記減圧弁を設置するための減圧弁設置部材と、を有し、前記減圧弁設置部材は、設置面を備える設置部と、前記設置部の前記設置面とは反対側から当該設置面と垂直な方向に延びる減圧弁取付部と、を備え、前
記流入管と前記流出管とは、同軸であり、前記固定部を前記減圧弁取付部に固定したときに、前記流入管および前記流出管は、前記減圧弁取付部に沿って延び、前記流出管は、前記流入管よりも前記設置部の側に位置し、前記開口部は、前記流入管および前記流出管の管軸と直交する方向で、前記減圧弁取付部とは反対側を向くことを特徴とする。
【００１４】
本発明によれば、減圧弁設置部材の設置部を建物の床面に設置すれば、減圧弁取付部に固定された減圧弁を上下方向に延びる配管の途中に接続できる。また、減圧弁を減圧弁設置部材に固定したときにハウジング部材の開口部が減圧弁取付部とは反対側を向く。従って、ハウジング部材から減圧弁本体を取り外す際、および、ハウジング部材に減圧弁本体を取り付ける際に、減圧弁に接続された配管に負荷がかかることを防止あるいは抑制できる。これにより、ハウジング部材から減圧弁本体を取り外す作業が容易となる。さらに、減圧弁設置部材の設置部を建物の床面に固定した場合には、逆止弁機構を備える減圧弁の流出管は、流入管よりも下方に位置する。従って、ハウジング部材から減圧弁本体を取り外したときに、逆流した流体がハウジング部材の開口部から溢れ出すことを防止或いは抑制できる。よって、ダイアフラムなどの部品の交換が、より、容易となる。
【発明の効果】
【００１５】
本発明の減圧弁は、流出管の途中に逆止弁機構を備える。従って、減圧弁よりも上流で配管を止水して、減圧弁を配管から取り外さずに分解したときに、配管内において減圧弁よりも下流の流体が内部流路の側に逆流することを防止或いは抑制できる。これにより、逆流した流体が分解状態の減圧弁から漏れ出すことを防止或いは抑制できるので、ダイアフラムなどの部品の交換が容易となる。
【００１６】
また、本発明の減圧弁ユニットは、ハウジング部材から減圧弁本体を取り外す際、および、ハウジング部材に減圧弁本体を取り付ける際に、減圧弁に接続された配管に負荷がかかることを防止あるいは抑制できる。これにより、ハウジング部材から減圧弁本体を取り外す作業が容易となる。さらに、減圧弁設置部材の設置部を建物の床面に固定した場合には、逆止弁機構を備える減圧弁の流出管は、流入管よりも下方に位置する。従って、ハウジング部材から減圧弁本体を取り外したときに、逆流した流体がハウジング部材の開口部から溢れ出すことを防止或いは抑制できる。よって、ダイアフラムなどの部品の交換が、より、容易となる。
【図面の簡単な説明】
【００１７】
【図１】止水栓が接続された減圧弁ユニットの側面図である。
【図２】止水栓が接続された減圧弁の断面図である。
【図３】止水栓とハウジング部材から減圧弁本体を取り外した減圧弁の断面図である。
【図４】逆止弁ユニットの分解斜視図である。
【発明を実施するための形態】
【００１８】
以下に、図面を参照して、本発明の実施の形態である減圧弁を説明する。
【００１９】
（減圧弁ユニット）
図１（ａ）は、止水栓が接続された減圧弁ユニットの側面図である。図１（ｂ）は、止水栓が接続された減圧弁ユニットを図１（ａ）と直交する方向から見た場合の側面図である。図２は、止水栓および減圧弁を流入管と流出管の管軸方向に沿って切断した断面図である。図１に示すように、減圧弁ユニット１は、減圧弁２と、減圧弁２が固定された減圧弁設置部材３と、を備える。減圧弁２には止水栓４が接続されている。止水栓４は減圧弁２の上流に位置する。
【００２０】
減圧弁ユニット１は、高層ホテルにおいて各客室の水道に水（流体）を供給する給水系
の配管の途中に減圧弁２を設置する際に用いられる。すなわち、高層ホテルの給水系は、各階に水を配送する本管（不図示）と、各階において本管から分岐して各客室に向かって延びる複数の分岐配管６とを備える。このような給水系では、最上階の各客室の水道で水圧を確保しようとすると、低い階の各客室の水道では水圧が高くなりすぎる。従って、各階の各分岐配管６の途中に必要に応じて減圧弁２を設置して、各客室の水道の水圧を所定の圧力に調節する。
【００２１】
減圧弁２は、流入管１１と、流入管１１と同軸の流出管１２とを有する。また、減圧弁２は、図１（ａ）に示すように、流入管１１および当該流入管１１と直交する方向に突出する固定部１３を備える。減圧弁２において、流入管１１と流出管１２との間に位置するハウジング本体３１には、点検孔３７が設けられている。点検孔３７はプラグ３８によって開閉可能に封鎖されている。
【００２２】
減圧弁設置部材３は、設置面１５ａを備える設置部１５と、設置部１５の設置面１５ａとは反対側から当該設置面１５ａと垂直な方向に延びる減圧弁取付部１６と、を備える。減圧弁２は、固定部１３が減圧弁取付部１６に固定されて、減圧弁設置部材３に支持される。固定部１３が減圧弁取付部１６に固定された状態では、減圧弁取付部１６は、減圧弁２および止水栓４の一方側に位置する。流入管１１および流出管１２は、減圧弁取付部１６に沿って延びる。流出管１２は、流入管１１よりも設置部１５の側に位置する。
【００２３】
流入管１１には、止水栓４を介して、分岐配管６の上流側配管２１が接続される。流出管１２には、分岐配管６の下流側配管２２が接続される。従って、減圧弁２において、水は、流入管１１の側から流出管１２に向かう流通方向に流れる。
【００２４】
ここで、止水栓４は、ボール止水栓である。図２に示すように、止水栓４は、ボール弁体２５と、弁箱２６と、ボール弁体２５を回転させるためのハンドル２７と、を備える。ボール弁体２５は、弁箱２６の内部に区画された弁室２８に収容されている。ハンドル２７は、弁箱２６を貫通して延びる軸部２９と、弁箱２６の外側において軸部２９の一方端に接続された摘み部３０と、を備える。軸部２９の他方端は、弁箱２６内においてボール弁体２５に接続されている。摘み部３０を操作してボール弁体２５を回転させれば、止水栓４において、上流側配管２１から減圧弁２への水の流入を停止できる。
【００２５】
以下の説明では、互いに直交する３方向をＸ方向、Ｙ方向、およびＺ方向とする。Ｘ方向は、流入管１１および流出管１２の管軸Ｌに沿った方向である。Ｙ方向は、減圧弁２と減圧弁取付部１６とが対向する方向である。Ｚ方向は、減圧弁２の幅方向である。また、Ｘ方向において流出管１２が位置する側を−Ｘ方向とし、流入管１１が位置する側を＋Ｘ方向とする。Ｙ方向において減圧弁取付部１６が位置する側を−Ｙ方向とし、減圧弁２が位置する側を＋Ｙ方向とする。
【００２６】
（減圧弁設置部材）
図１に示すように、減圧弁設置部材３の設置部１５は板状である。設置部１５の平面形状は略正方形である。減圧弁取付部１６は、減圧弁設置部材３の中央部分から設置面１５ａと直交する方向に突出する。設置部１５における４辺の縁には、それぞれ切欠き部１７が設けられている。減圧弁設置部材３を高層ホテルの各階の床面に固定する際には、設置面１５ａを床面に当接させる。また、切欠き部１７に、各階の床面から突出するアンカーを貫通させる。そして、設置部１５とアンカーとをナット或いは溶接等により締結する。減圧弁設置部材３を床面に設置した状態では、減圧弁取付部１６は、床面から上方に延びる。従って、設置部１５の設置面１５ａを床面に設置した場合には、Ｘ方向は上下方向である。また、設置部１５の設置面１５ａを床面に設置した場合には、−Ｘ方向は下方であり、＋Ｘ方向は上方である。
【００２７】
減圧弁取付部１６は、設置面１５ａと垂直な方向に一定幅で延びる第１取付板部分１８と、第１取付板部分１８に沿って設置面１５ａと垂直な方向に一定幅で延びる第２取付板部分１９と、を備える。第１取付板部分１８における第２取付板部分１９の側の端と第２取付板部分１９の第１取付板部分１８の側の端とは連続しており、第１取付板部分１８の厚み方向と第２取付板部分１９側の厚み方向とは直交する。従って、減圧弁取付部１６を、当該弁圧弁取付部の延設方向（Ｘ方向）から見た場合の形状は、Ｌ字形状である。第１取付板部分１８には、延設方向Ｌで離間する位置に２つの穴部２０が設けられている。穴部２０のそれぞれは、Ｘ方向に延びる長穴である。
【００２８】
（減圧弁）
図３は、減圧弁本体を取り外した状態の止水栓４および減圧弁２の断面図である。図２、図３に示すように、減圧弁２は、流入管１１、流出管１２、およびハウジング本体３１を備えるハウジング部材３２を備える。ハウジング部材３２は鋳造品である。また、減圧弁２は、ハウジング部材３２に着脱可能に装着された減圧弁本体３３を備える。
【００２９】
図３に示すように、流入管１１は、＋Ｘ方向の端部分の外周側に袋ナット３５を備える。図１、図３に示すように、流出管１２は、−Ｘ方向の端部分の外周面に８角形の外周面部分３６を備える。流入管１１には、袋ナット３５を利用して止水栓４が接続される。流出管１２には、下流側配管２２が接続される。
【００３０】
図３に示すように、ハウジング本体３１は、流入管１１に連通する流入路４１、流出管１２に連通する流出路４２、流入路４１および流出路４２に連通する空洞部４３、並びに、空洞部４３に連通する開口部４４を備える。開口部４４は、筒状であり、開口部４４の内周面には雌ねじ４５が設けられている。図１（ａ）に示す点検孔３７は、流出路４３に連通する。
【００３１】
また、ハウジング本体３１は、空洞部４３を間に挟んで開口部４４とは反対側の部位に、ハウジング部材３２を固定するための固定部１３を備える。固定部１３は、ハウジング本体から−Ｙ方向に延びる脚部分４７と、脚部分４７の先端部分から−Ｘ方向に延びる第１固定板部分４８と、＋Ｘ方向に延びる第２固定板部分４９と、を備える。第１固定板部分４８および第２固定板部分４９は、その厚み方向をＹ方向に向けている。第１固定板部分４８は、Ｙ方向に貫通するボルト締結用の第１貫通部５０を備える。第２固定板部分４９は、Ｙ方向に貫通するボルト締結用の第２貫通部５１を備える。
【００３２】
図２に示すように、減圧弁本体３３は、開口部４４を封鎖した状態でハウジング部材３２に装着される。これにより、減圧弁本体３３とハウジング部材３２とは、流入管１１と流出管１２とを連通させる内部流路５４を区画する。内部流路５４は、流入路４１、空洞部４３、流出路４２を経由する。
【００３３】
図３に示すように、減圧弁本体３３は、ハウジング部材３２と共に内部流路５４を区画する円筒状の流路構成部材５５と、流路構成部材５５に＋Ｙ方向から被せられた金属製のキャップ５６と、を備える。キャップ５６は、＋Ｙ方向の端部分に、他の部分よりも小径の小径筒部５６ａを備える。小径筒部５６ａには、＋Ｙ方向からカバー８０が被せられている。流路構成部材５５は、Ｙ方向に延びる筒状部材５７と、筒状部材５７に固定されたフランジ部材５８と、を備える。筒状部材５７の−Ｙ方向の端は、第１弁座５９である。第１弁座５９は、円環状であり、−Ｙ方向を向いている。
【００３４】
フランジ部材５８は、中央にＹ方向に延びる貫通孔６１を備える環状の部材である。フランジ部材５８は、小径筒部６２と、小径筒部６２の＋Ｙ方向で外周側に広がるフランジ
部６３と、を備える。小径筒部６２の外周面には、雄ねじ６４が設けられている。貫通孔６１は、小径筒部６２の内周側に位置する小径孔部６５と、フランジ部６３の内周側で小径孔部６５よりも内径寸法が大きい大径孔部６６と、を備える。
【００３５】
フランジ部材５８は、筒状部材５７の＋Ｙ方向の端部分が小径筒部６２に挿入された状態で筒状部材５７に固定されている。フランジ部材５８が筒状部材５７に固定された状態では、筒状部材５７は小径孔部６５を貫通しており、筒状部材５７の＋Ｙ方向の端が大径孔部６６のＹ方向の途中に位置する。筒状部材５７と小径筒部６２との間にはＯリング６７が介在する。
【００３６】
筒状部材５７は、周方向の４か所に、小径孔部６５の外周側をＹ方向に延びる第１連通孔７１を備える。第１連通孔７１の＋Ｙ方向の端は大径孔部６６に連通する。第１連通孔７１の−Ｙ方向の端は、筒状部材５７の−Ｙ方向の端部分において−Ｙ方向に開口する。また、筒状部材５７は、周方向の４か所に、Ｙ方向と直交する方向に延びて小径孔部６５に連通する第２連通孔７２を備える。第２連通孔７２の外周側の端は、Ｙ方向におけるフランジ部材５８と第１弁座５９との間で、Ｙ方向と直交する方向に開口する。第２連通孔７２の外周側の開口は、筒状部材５７に固定されたストレーナ７４により外周側から覆われている。
【００３７】
流路構成部材５５の＋Ｙ方向の端面、すなわち、フランジ部材５８の＋Ｙ方向の円環状端面５８ａにはダイアフラム７３が固定されている。図１（ｂ）に鎖線で示すように、ダイアフラム７３は円形である。ダイアフラム７３は、フランジ部材５８と同軸に配置されて、フランジ部材５８の大径孔部６６を＋Ｙ方向から被う。また、図３に示すように、ダイアフラム７３は、その外周縁が流路構成部材５５（フランジ部材５８）とキャップ５６とによってＹ方向の両側から挟まれている。これにより、ダイアフラム７３の外周縁は変位不能であり、ダイアフラム７３の中央部分はＹ方向に変位可能である。
【００３８】
ダイアフラム７３の中央部分は、キャップ５６に設けられた支持機構７５によって変位可能に支持される。支持機構７５は、ダイアフラム７３の中央部分に固定された円形の板部材７６と、板部材７６からＹ方向に延びる軸部材７７と、軸部材７７をＹ方向に移動可能に支持する調節ねじ７８と、を備える。調節ねじ７８は、＋Ｙ方向の端部分に雄ねじ７８ａを備える。雄ねじ７８ａは、キャップ５６の小径筒部５６ａの内周面に設けられた雌ねじに螺合する。また、支持機構７５は、板部材７６の＋Ｙ方向で軸部材７７の外周側に配置されたコイルバネ７９を備える。コイルバネ７９は、板部材７６と調節ねじ７８との間で圧縮されて、ダイアフラム７３を−Ｙ方向に付勢する付勢力を発揮する。
【００３９】
ここで、キャップ５６からカバー８０を取り外して調節ねじ７８を回転させると、調節ねじ７８は、小径筒部５６ａの軸線に沿ってＹ方向に移動する。従って、調節ねじ７８の回転により、コイルバネ７９がダイアフラム７３を付勢する付勢力を調整できる。
【００４０】
また、減圧弁本体３３は、第１弁座５９のダイアフラム７３とは反対側に配置された第１弁体８１を備える。第１弁体８１は、流路構成部材５５の内側をＹ方向に延びるステム８２によりダイアフラム７３の中央部分に接続されている。ステム８２は、ダイアフラム７３の変位に応じてＹ方向に移動する。支持機構７５およびステム８２は、第１弁体８１を第１弁座５９に接近する方向および離間する方向に移動させる弁体移動機構８３を構成する。
【００４１】
ステム８２は、ダイアフラム７３に−Ｙ方向で隣り合う位置に、円盤部８５を備える。減圧弁２内を水が流通していない状態では、コイルバネ７９の付勢力によって円盤部８５は筒状部材５７の上端部分に当接している。また、ステム８２は、筒状部材５７の内周側
で第２連通孔７２よりも＋Ｙ方向に位置する部分に、他の部分と比較して外径が大きい大径部８６を備える。大径部８６には周方向に延びる環状溝８７が設けられている。環状溝８７にはＯリング８８が取り付けらえている。Ｏリング８８は、筒状部材５７の内周面とステム８２との間で径方向に圧縮されておいる。これにより、筒状部材５７における第２連通孔７２よりも＋Ｙ方向の部分とステム８２の大径部８６との間は液密とされている。
【００４２】
図２に示すように、減圧弁本体３３は、第１弁座５９および第１弁体８１が開口部４４からハウジング部材３２に挿入される。そして、流路構成部材５５（筒状部材５７）の雄ねじ６４が、ハウジング部材３２の開口部４４の雌ねじ４５に捩じ込まれる。これにより、減圧弁本体３３は、開口部４４を封鎖した状態で、ハウジング部材３２に装着される。
【００４３】
減圧弁本体３３がハウジング部材３２に装着されると、減圧弁本体３３はハウジング部材３２とともに内部流路５４を区画する。また、第１弁座５９は、内部流路５４の途中に配置される。より具体的には、第１弁座５９は、ハウジング部材３２の内側において、空洞部４３と流出路４２との境界部分に配置される。第１弁体８１は、内部流路５４の第１弁座５９よりも下流に位置する。従って、第１弁体８１は、流出路４２内に位置する。そして、筒状部材５７において、ステム８２の大径部８６よりも第１弁座５９の側は、第２連通孔７２を介して、流入路４１に連通する。
【００４４】
また、減圧弁本体３３がハウジング部材３２に装着されると、ダイアフラム７３は、内部流路５４において第１弁座５９より下流に位置する下流側流路部分の壁面の一部を構成する。すなわち、減圧弁本体３３がハウジング部材３２に装着されると、流路構成部材５５の大径孔部６６は、第１連通孔７１を介して流出路４２に連通する。従って、大径孔部６６を＋Ｙ方向から封鎖するダイアフラム７３は、下流側流路部分の壁面の一部となる。
【００４５】
（逆止弁機構）
図４（ａ）は、逆止弁ユニットを−Ｘ方向から見た場合の分解斜視図である。図４（ｂ）は、逆止弁ユニットを＋Ｘ方向から見た場合の分解斜視図である。図３に示すように、減圧弁２は、流出管１２に逆止弁機構９０を備える。図２に示すように、逆止弁機構９０は、流出管１２のＸ方向（管軸Ｌ方向）の途中に設けられた弁室９１と、弁室９１に収容された逆止弁ユニット９２と、を備える。
【００４６】
より詳細には、流出管１２は、ハウジング部材３２と一体に設けられた上流側流出管９５と、上流側流出管９５の下流に配置された下流側流出管９６と、上流側流出管９５と下流側流出管９６とを連通させた状態で接続する袋ナット９７（接続部材）と、を備える。
【００４７】
図３に示すように、上流側流出管９５は、Ｘ方向に延びる管部９９と、管部９９の−Ｘ方向の端部分から管軸Ｌと直交する方向に広がる環状板部１００と、環状板部１００の外周縁から−Ｘ方向に延びる環状壁部１０１と、を備える。環状壁部１０１の外周面には、雄ねじ１０２が設けられている。下流側流出管９６は、＋Ｘ方向の端部分に環状壁部１０１の内側に挿入される挿入管部１０４を備える。挿入管部１０４の先端は、環状板部１００の外周縁に当接する。挿入管部１０４の外周面には環状溝１０５が設けられている。環状溝１０５にはＯリング１０６が挿入されておいる。Ｏリング１０６は、環状壁部１０１と挿入管部１０４との間において径方向で圧縮される。
【００４８】
下流側流出管９６は、外周面における挿入管部１０４と隣り合う外周面部分に環状の係止突部１０７を備える。また、下流側流出管９６は、外周面における−Ｘ方向の端部分に、８角形の外周面部分３６を備える。また、下流側流出管９６は、内周面における管軸Ｌ方向における係止突部１０７と８角形の外周面部分３６との間に、内周側に突出する環状の内周側突部１０９を備える。
【００４９】
袋ナット９７は、上流側流出管９５の雄ねじ１０２に螺合する雌ねじを備えるナット部１１０と、ナット部１１０の−Ｘ方向の端から内周側に突出する環状のナット係止部１１１とを備える。
【００５０】
下流側流出管９６は、挿入管部１０４が上流側流出管９５の環状壁部１０１に挿入されて上流側流出管９５と同軸に配置される。袋ナット９７は、ナット係止部１１１を下流側流出管９６の係止突部１０７に係止させた状態で、ナット部１１０が上流側流出管９５の雄ねじ１０２に捩じ込まれる。これにより、上流側流出管９５と下流側流出管９６とは連通した状態で接続されて、流出管１２が構成される。また、流出管１２が構成されると、Ｘ方向における環状板部１００と内周側突部１０９との間に、弁室９１が区画される。上流側流出管９５と下流側流出管９６とが接続されて流出管１２の途中に弁室９１が構成される際には、逆止弁ユニット９２が上流側流出管９５と下流側流出管９６との間に配置される。これにより、逆止弁ユニット９２は、弁室９１に収容される。
【００５１】
図４に示すように、逆止弁ユニット９２は、環状の第２弁座１１５と、第２弁座１１５の−Ｘ方向（下流）に位置する第２弁体１１６と、第２弁体１１６をＸ方向に移動可能に支持する調節ねじ材１１７と、第２弁体１１６を第２弁座１１５に付勢する付勢部材１１８と、を備える。付勢部材１１８は、コイルバネである。
【００５２】
第２弁座１１５は、厚み方向をＸ方向に向けた金属製の環状板１２１と、環状板１２１をＸ方向の一方側、他方側、および内周側から覆うゴム部材１２２を備える。ゴム部材１２２は、ＥＰＤＭ（エチレンプロピレンゴム）製である。第２弁座１１５は、金型内に環状板１２１を配置してＥＰＤＭを注入するインサート成形により形成される。第２弁座１１５の−Ｘ方向の環状端面には、環状の係止溝１２３が設けられている。係止溝１２３は、Ｘ方向に延びる第１溝部分１２３ａと、第１溝部分１２３ａの＋Ｘ方向の端から外周側に延びる第２溝部分１２３ｂとを備える。
【００５３】
第２弁体１１６は、樹脂製である。第２弁体１１６は、平面形状が円形で、中央が＋Ｘ方向に突出する曲面を備える弁本体部１２５と、弁本体部１２５の中心部分から−Ｘ方向に延びる内側筒部１２６と、弁本体部１２５から内側筒部１２６の外周側を−Ｘ方向に延びる外側筒部１２７と、を備える。内側筒部１２６と外側筒部１２７との間には、コイルバネ７９の＋Ｘ方向の端部分が挿入される。コイルバネ７９は、内側筒部１２６を包囲する。
【００５４】
調節ねじ材１１７は、樹脂製である。調節ねじ材１１７は、Ｘ方向に延びる支軸１３１と、支軸１３１を外周側から囲む４本のガイド軸１３２と、４本のガイド軸１３２の＋Ｘ方向の端を接続する円形の環状部１３３と、４本のガイド軸１３２の−Ｘ方向の端および支軸１３１の−Ｘ方向の端を接続する接続部１３４と、を備える。
【００５５】
４本のガイド軸１３２は、支軸１３１の周りを等角度間隔に配置されている。環状部１３３の中心孔の内径は、弁本体部１２５の外径よりも大きい。環状部１３３は、＋Ｘ方向に突出する係止突部１３５を備える。係止突部１３５は、Ｘ方向に延びる環状突部１３５ａと、環状突部１３５ａの先端部分から外周側に延びる屈曲部１３５ｂと、を備える。接続部１３４は、４本のガイド軸１３２の−Ｘ方向の端を接続する円形の環状部分１３６と、環状部分１３６の内側に架け渡された十字形状のリブ１３７と、リブ１３７の交差部分に設けられたバネ調節ねじ１３８と、を備える。支軸１３１はバネ調節ねじ１３８の中心から＋Ｘ方向に延びる
【００５６】
第２弁体１１６は、環状部１３３の中心孔を介して４本のガイド軸１３２の内側に挿入
される。この際に、第２弁体１１６の内側筒部１２６には、支軸１３１の先端側部分が挿入される。コイルバネ７９は、内側筒部１２６と外側筒部１２７との間において、＋Ｘ方向の端が弁本体部１２５に接触し、−Ｘ方向の端がバネ調節ねじ１３８に接触する。また、調節ねじ材１１７の環状部１３３には、第２弁座１１５が固定される。すなわち、調節ねじ材１１７の係止突部１３５が第２弁座１１５の係止溝１２３に挿入される。ここで、第２弁座１１５の内径寸法は、環状部１３３の内径寸法よりも小さく、弁本体部１２５の外径よりも小さい。従って、第２弁座１１５が調節ねじ材１１７に固定された状態では、第２弁体１１６が第２弁座１１５に当接してコイルバネ７９は圧縮された状態となる。これにより、第２弁体１１６は、コイルバネ７９の付勢力によって第２弁座１１５に押し付けられる。ここで、逆止弁ユニット９２を流通する水が弁本体部１２５に当たると、弁本体部１２５はコイルバネ７９の付勢力に抗して第２弁座１１５から離間する方向に移動する。弁本体部１２５が移動する際には、支軸１３１およびガイド軸１３２が、弁本体部１２５を案内する。
【００５７】
逆止弁ユニット９２が弁室９１に収容された状態では、第２弁座１１５は、下流側流出管９６の挿入管部１０４の内側で、上流側流出管９５の環状板部１００に−Ｘ方向から接触する。
【００５８】
（減圧弁の動作）
減圧弁２が分岐配管６の途中に設置され、止水栓４が解放状態とされると、水は、止水栓４および減圧弁２を介して流通可能となる。水が流通すると、逆止弁機構９０の第２弁体１１６は、流通する水の圧力により第２弁座１１５から離間して、流出管１２を解放する。ここで、減圧弁２のダイアフラム７３は、減圧弁２を流通する水の圧力に応じて変位する。また、ダイアフラム７３が変位すると、弁体移動機構８３は、ダイアフラム７３の変位に応じて第１弁体８１を第１弁座５９に接近する方向および離間する方向に移動させる。これにより、減圧弁２は、減圧弁２を流通する水を所定の圧力に調節する。
【００５９】
（ダイアフラム等の交換作業）
減圧弁２のダイアフラム７３は、客室の水道が使用される毎に変位する。従って、ダイアフラム７３には頻繁に負荷がかかる。よって、減圧弁２は、ダイアフラム７３の損傷により、故障する場合がある。
【００６０】
このような場合には、まず、止水栓４を操作して、上流側配管２１から減圧弁２への水の流入を停止する。次に、図３に示すように、ハウジング部材３２から減圧弁本体３３を取り外す。しかる後に、新たな減圧弁本体３３をハウジング部材３２に装着する。これにより、ダイアフラム７３を破損してないものに交換する。その後、止水栓４を操作して、分岐配管６に通水する。しかる後に、調圧作業を行って、ダイアフラム等の交換作業が完了する。
【００６１】
調圧作業では、まず、止水栓４をゆっくり操作して、上流側配管２１から減圧弁２への水の流入を停止する。そして、減圧弁本体の３１からプラグ３８を取り外して、点検孔３７に図示しない圧力計を取付ける。そして、キャップ５６からカバー８０を取り外す。
【００６２】
次に、止水栓４を操作して、分岐配管６に通水する。そして、圧力計の値を確認しながら調節ねじ７８を回転させて、コイルバネ７９がダイアフラム７３を付勢する付勢力を調節する調整作業を行う。これにより、減圧弁２内の圧力を目標とする目標圧力に設定する。その後、減圧弁２よりも下流の給水栓、例えば、客室の水道の蛇口を複数回開閉して、圧力計の値が目標圧力で安定しているか否かを確認する確認作業を行う。圧力計の値が目標圧力で安定しない場合には、その値が安定するまで調整作業と確認作業とを繰り返す。
【００６３】
圧力計の値が目標圧力で安定した場合には、止水栓４を操作して、上流側配管２１から減圧弁２への水の流入を停止する。そして、減圧弁本体の３１から圧力計を取り外し、プラグ３８で点検孔３７を封鎖する。その後、止水栓４を操作して、分岐配管６に通水する。また、減圧弁２に漏水などの異常が無いことを確認する。そして、キャップ５６にカバー８０を取り付ける。これにより、調圧作業は完了する。
【００６４】
なお、調圧作業は、分岐配管６の途中に新たな減圧弁２を設置する際にも行われる。また、また、調圧作業は、減圧弁２を点検する際に行なわれる点検作業でもある。
【００６５】
（作用効果）
本例では、減圧弁２の流出管１２に弁室９１が設けられている。また、弁室９１内には、第２弁座１１５と、第２弁座１１５の下流に位置する第２弁体１１６と、第２弁体１１６を第２弁座１１５に付勢する付勢部材１１８と、が収容されており、第２弁体１１６は、第２弁座１１５に接触して流出管１２を封鎖する止水位置と、付勢部材１１８の付勢力に抗して第２弁座１１５から下流に離間して流出管１２を解放する通水位置との間を移動する。すなわち、減圧弁２は、流出管１２の途中に水の逆流を阻止する逆止弁機構９０を備える。従って、ダイアフラム等の交換作業においてハウジング部材３２から減圧弁本体３３を取り外したときに、分岐配管６において減圧弁２よりも下流の水が内部流路５４の側に逆流することを防止或いは抑制できる。これにより、逆流した水が分解状態の減圧弁２から漏れ出すことを防止或いは抑制できるので、ダイアフラム７３などの部品の交換が容易となる。
【００６６】
また、本例では、ダイアフラム７３、第１弁座５９、または第１弁体８１が損傷した場合に、ハウジング部材３２から減圧弁本体３３を取り外して新たな減圧弁本体３３をハウジング部材３２に装着することにより、これらの部品を破損してないものに交換できる。従って、減圧弁２は、ハウジング部材３２を分岐配管６から取り外すことなく、ダイアフラム７３、第１弁座５９、および第１弁体８１を交換できる。ここで、減圧弁２は、ハウジング部材３２の流出路４２よりも下流に逆止弁機構９０を備える。従って、ハウジング部材３２から減圧弁本体３３を取り外したときに、逆流した水がハウジング部材３２の開口部４４から溢れ出すことを防止或いは抑制できる。よって、ダイアフラム７３などの部品の交換が容易である。
【００６７】
さらに、本例の減圧弁ユニット１では、減圧弁設置部材３の設置部１５を建物の床面に設置すれば、減圧弁取付部１６に固定された減圧弁２を上下方向に延びる分岐配管６の途中に接続できる。また、減圧弁２を減圧弁設置部材３に固定したときにハウジング部材３２の開口部４４が減圧弁取付部１６とは反対側を向く。従って、ハウジング部材３２から減圧弁本体３３を取り外す際、および、ハウジング部材３２に減圧弁本体３３を取り付ける際に、減圧弁２に接続された分岐配管６に負荷がかかることを防止あるいは抑制できる。従って、ハウジング部材３２から減圧弁本体３３を取り外す作業が容易である。
【００６８】
さらに、減圧弁設置部材３の設置部１５を建物の床面に固定した場合には、逆止弁機構９０を備える減圧弁２の流出管１２は、流入管１１よりも下方に位置する。従って、ハウジング部材３２から減圧弁本体３３を取り外したときに、逆流した水がハウジング部材３２の開口部４４から溢れ出すことを防止或いは抑制できる。よって、ダイアフラム７３などの部品の交換が容易である。
【００６９】
ここで、本例では、減圧弁２が逆止弁機構９０を備えるので、分岐配管６の途中に減圧弁２と逆止弁と別々に設置する場合と比較して、これらの設置作業が容易である。また、減圧弁２が逆止弁機構９０を備えるので、減圧弁２と逆止弁とを別体とする場合と比較して、分岐配管６を構成するコストを抑制できる。さらに、減圧弁２が逆止弁機構９０を備
えるので、分岐配管６の途中に減圧弁２と逆止弁と別々に設置する場合と比較して、これらの設置スペースを削減できる。
【００７０】
また、減圧弁２の流出管１２は、ハウジング部材３２と一体の上流側流出管９５と、上流側流出管９５の下流に配置された下流側流出管９６と、上流側流出管９５と下流側流出管９６とを連通させた状態で接続する袋ナット９７と、を備え、下流側流出管９６と、下流側流出管９６とによって、弁室９１が区画されている。従って、袋ナット９７の操作により下流側流出管９６と上流側流出管９５との接続を解除して、弁室９１を解放状態とすることができる。よって、流出管１２の途中に設けた弁室９１に、逆止弁ユニット９２を収容して、逆止弁機構９０を構成することが容易である。
【００７１】
（その他の実施の形態）
減圧弁２は、ハウジング本体３１において空洞部４３を間に挟んで開口部４４とは反対側の部位にハウジング部材３２を固定するための固定部１３を備える。従って、減圧弁設置部材３を用いずに、減圧弁２を建物の壁面等に固定してもよい。この場合でも、ハウジング部材３２から減圧弁本体３３を取り外す際、および、ハウジング部材３２に減圧弁本体３３を取り付ける際に、減圧弁２に接続された配管に負荷がかかることを防止あるいは抑制できる。これにより、ハウジング部材３２に対して減圧弁本体３３を着脱する作業が容易となるので、ダイアフラム７３などの部品の交換が、容易である。
【００７２】
なお、減圧弁２は、固定部１３を備えていなくてもよい。この場合でも、減圧弁２は、流出管１２の途中に流体の逆流を阻止する逆止弁機構９０を備える。従って、ハウジング部材３２から減圧弁本体３３を取り外したときに、分岐配管６において減圧弁２よりも下流の水が内部流路５４の側に逆流することを防止或いは抑制できる。これにより、逆流した水が分解状態の減圧弁２から漏れ出すことを防止或いは抑制できるので、ダイアフラム７３などの部品の交換が容易である。
【符号の説明】
【００７３】
１…減圧弁ユニット、２…減圧弁、３…減圧弁設置部材、４…止水栓、６…分岐配管、１１…流入管、１２…流出管、１３…固定部、１５…設置部、１５ａ…設置面、１６…減圧弁取付部、１７…切欠き部、１８…第１取付板部分、１９…第２取付板部分、２０…穴部、２１…上流側配管、２２…下流側配管、２５…ボール弁体、２６…弁箱、２７…ハンドル、２８…弁室、２９…軸部、３０…摘み部、３１…ハウジング本体、３２…ハウジング部材、３３…減圧弁本体、３５…袋ナット、３６…８角形の外周面部分、３７…点検孔、３８…プラグ、４１…流入路、４２…流出路、４３…空洞部、４４…開口部、４５…雌ねじ、４７…脚部分、４８…第１固定板部分、４９…第２固定板部分、５０…ボルト締結用の第１貫通部、５１…ボルト締結用の第２貫通部、５４…内部流路、５５…流路構成部材、５６…キャップ、５６ａ…小径筒部、５７…筒状部材、５８…フランジ部材、５８ａ…円環状端面、５９…第１弁座、６１…貫通孔、６２…小径筒部、６３…フランジ部、６５…小径孔部、６６…大径孔部、６７…Ｏリング、７１…第１連通孔、７２…第２連通孔、７３…ダイアフラム、７４…ストレーナ、７５…支持機構、７６…板部材、７７…軸部材、７８…調節ねじ、７８ａ…雄ねじ、７９…コイルバネ、８０…カバー、８１…第１弁体、８２…ステム、８３…弁体移動機構、８５…円盤部、８６…大径部、８７…環状溝、８８…Ｏリング、９０…逆止弁機構、９１…弁室、９２…逆止弁ユニット、９５…上流側流出管、９６…下流側流出管、９７…袋ナット（接続部材）、９９…管部、１００…環状板部、１０１…環状壁部、１０４…挿入管部、１０５…環状溝、１０６…Ｏリング、１０７…係止突部１３５ａ…環状突部、１０７ｂ…屈曲部、１０９…内周側突部、１１０…ナット部、１１１…ナット係止部、１１５…第２弁座、１１６…第２弁体、１１７…調節ねじ材、１１８…付勢部材、１２１…環状板、１２２…ゴム部材、１２３…係止溝、１２３ａ…第１溝部分、１２３ｂ…延びる第２溝部分、１２５…弁本体部、１２６…内側筒部、１
２７…外側筒部、１３１…支軸、１３１…延びる支軸、１３２…ガイド軸、１３３…環状部、１３４…接続部、１３５…係止突部、１３５ａ…環状突部、１３５ｂ…屈曲部、１３６…環状部分、１３７…リブ、１３８…バネ調節ねじ
【図１】
2020184139.tif 000003
【図２】
2020184139.tif 000004
【図３】
2020184139.tif 000005
【図４】
2020184139.tif 000006